【手続補正書】
【提出日】平成18年5月26日(2006.5.26)
【手続補正１】
【補正対象書類名】明細書
【補正対象項目名】発明の名称
【補正方法】変更
【補正の内容】
【発明の名称】油圧緩衝器のオイルシール
【手続補正２】
【補正対象書類名】明細書
【補正対象項目名】特許請求の範囲
【補正方法】変更
【補正の内容】
【特許請求の範囲】
【請求項１】  インサートメタルと、インサートメタルの内周に一体化されてピストンロッドの摺動面を密封する内周シール部とインサートメタルの外周に一体化されて外筒とロッドガイドとの間を密封する外周シール部とを備え、インサートメタルの上面肩部に外筒の上部を加締めて固定される油圧緩衝器のオイルシールにおいて、インサートメタルの上面肩部に断面略矩形で円環状の切欠を設けたことを特徴とする油圧緩衝器のオイルシール。
【手続補正３】
【補正対象書類名】明細書
【補正対象項目名】０００１
【補正方法】変更
【補正の内容】
【０００１】
【発明の属する技術分野】
この発明は、自動車の懸架装置など車体の振動を抑制する油圧緩衝器に係わり、詳しくは油圧緩衝器内を密封する油圧緩衝器のオイルシールの改良に関するものである。
【手続補正４】
【補正対象書類名】明細書
【補正対象項目名】０００６
【補正方法】変更
【補正の内容】
【０００６】
最後に、外気を遮断するオイルシール４を外筒３の案内孔３Ｂの上部から嵌挿し、図２（Ａ）に示す状態から、外筒３の上端部をオイルシール４が抜け出さないように全周又は数カ所を図２（Ｂ）に示す３Ｃの如く内側に少し（例えば２０度）押し倒して仮加締めする。その後、インサートメタル４Ｂの上面から押圧力を加えインサートメタル４Ｂの下面とロッドガイド５の上面を当接させ、シリンダ２を押圧した状態で、外筒３の上端部を３Ｄの如く全周に亘りほぼ直角に押し倒し本加締めして油圧緩衝器ＳＡ内を密封する。
【手続補正５】
【補正対象書類名】明細書
【補正対象項目名】００１１
【補正方法】変更
【補正の内容】
【００１１】
本発明は以上のような実情に鑑みてなされたものであり、その目的とするところは、外筒３の上端部をインサートメタル４Ｂの上面側に押し倒して本加締めする際に、剥離された糸状のゴム片が外部に排出されない油圧緩衝器のオイルシールを提供することである。
【手続補正６】
【補正対象書類名】明細書
【補正対象項目名】００１２
【補正方法】変更
【補正の内容】
【００１２】
【課題を解決するための手段】
上記した目的を達成するため、本発明の課題解決手段は、インサートメタルと、インサートメタルの内周に一体化されてピストンロッドの摺動面を密封する内周シール部とインサートメタルの外周に一体化されて外筒とロッドガイドとの間を密封する外周シール部とを備え、インサートメタルの上面肩部に外筒の上部を加締めて固定される油圧緩衝器のオイルシールにおいて、インサートメタルの上面肩部に断面略矩形で円環状の切欠を設けるようにした。
【手続補正７】
【補正対象書類名】明細書
【補正対象項目名】００１３
【補正方法】変更
【補正の内容】
【００１３】
上記のごとく、オイルシールを構成したので、当該切欠に外筒の上部を加締める際にインサートメタルの外周側から剥離された糸状のゴム片を、加締め完了後も空隙部となる切欠の内周側隅部に押し込めることにより、加締め部からのゴム片の排出を防止することができるのである。
【手続補正８】
【補正対象書類名】明細書
【補正対象項目名】００１４
【補正方法】変更
【補正の内容】
【００１４】
【発明の実施の形態】
次に本発明に係る油圧緩衝器ＳＡのオイルシールを図１に示す実施形態に基づいて説明する。図２に示す従来技術と同一部分には同一符号を用い、特に必要のない部分については説明を省略する。本発明に係るシール構造の特徴は、左半断面の図１（Ａ）に示す如く、外筒３の上部に形成された案内孔３Ｂに嵌合するオイルシール４のインサートメタル４Ｂの上面肩部に、断面略矩形で円環状の切欠４Ｅを設けたことである。
【手続補正９】
【補正対象書類名】明細書
【補正対象項目名】００１５
【補正方法】変更
【補正の内容】
【００１５】
右半断面の図１（Ｂ）に３Ｃで示す仮加締め状態から、３Ｄで示す様に本加締めする際には、図示を省略した回転自在な加締め治具により、外筒３の上部をインサートメタル４Ｂの上面肩部に形成された切欠４Ｅ側に押し倒すので、加締めの進行に伴いインサートメタル４Ｂの外周側に付着した薄いゴム膜は剥離され、糸状のゴム片となって切欠４Ｅ側に押し出される。加締めの進行に伴い外筒３の上端部は切欠４Ｅに押し倒され徐々に進入してくるが、切欠４Ｅの内周側隅部４Ｆは加締め完了後も空隙部となるので、上記糸状のゴム片は徐々に内周側隅部４Ｆに集合して押し込められる。
【手続補正１０】
【補正対象書類名】明細書
【補正対象項目名】００１６
【補正方法】変更
【補正の内容】
【００１６】
加締め条件は、外筒３の上端部が３Ｄに示すように切欠４Ｅ側に押し倒されて進入し、加締め力の大部分がインサートメタル４Ｂ上面の外周側肩部に設けられた切欠４Ｅに付加され、加締めの内周３Ｅ側に加わる加締め力は小さくなるように設定することが可能なので、剥離された糸状のゴム片が加締めの内周３Ｅ側から外部に排出されるのを防止することができる。例えば、案内孔３Ｂ部の外筒３の肉厚が１．６ｍｍ程度の場合には、円環状の切欠４Ｅの半径方向の巾は１ｍｍ，軸線方向の深さは０．３ｍｍ程度が好適である。
【手続補正１１】
【補正対象書類名】明細書
【補正対象項目名】００１７
【補正方法】変更
【補正の内容】
【００１７】
以上詳述したように、インサートメタル４Ｂ上面の外周側肩部に断面略矩形の円環状の切欠４Ｅを設けるという簡単な構造で、加締め工程で発生する糸状のゴム片が加締めの内周３Ｅ側から外部に排出されるのを防止することができる。このため加締め工程におけるゴム片除去作業を無くせるとともに、内周シール部とピストンロッドの摺動部へのゴム片の咬込みも未然に防止することができるので、油圧緩衝器の主要な油漏れ要因の一つを無くすることができる。
【手続補正１２】
【補正対象書類名】明細書
【補正対象項目名】００１８
【補正方法】変更
【補正の内容】
【００１８】
【発明の効果】
以上詳述した通り、本発明に係る油圧緩衝器のオイルシールにおいては、外筒の上部に形成された案内孔に嵌合するオイルシールのインサートメタル上面の外周側肩部に環状の切欠を設けたので、本加締めする際、加締めの進行に伴いインサートメタルの外周側に付着した薄いゴム膜が剥離されても、切欠の上面側に糸状のゴム片となって押し出されながら、切欠の内周側隅部に押し込められる。加締め条件は、外筒の上端部が切欠側に押し倒されて進入し、加締め力の大部分がインサートメタル上面の外周側肩部に設けられた切欠に付加され、加締めの内周側に加わる加締め力は小さくなるように設定することが可能なので、剥離された糸状のゴム片が加締めの内周側から外部に排出されるのを防止することができる。このため加締め工程におけるゴム片除去作業を無くせるとともに、内周シール部とピストンロッドの摺動部へのゴム片の咬込みも未然に防止することができるので、油圧緩衝器の主要な油漏れ要因の一つを無くすることができる。
【手続補正１３】
【補正対象書類名】明細書
【補正対象項目名】符号の説明
【補正方法】変更
【補正の内容】
【符号の説明】
ＳＡ  油圧緩衝器
１  ピストンロッド
３  外筒
３Ｂ  案内孔
４  オイルシール
４Ａ，４Ｄ  内周シール部
４Ｂ  インサートメタル
４Ｃ  外周シール部
４Ｅ  切欠
４Ｆ  （切欠の）内周側隅部
５  ロッドガイド